(57)【要約】【課題】  円柱状の回転工具を使用して、荷締ベルトの他端側の引き出し端部を回転工具に巻き付けて良好に引き出すことができるベルト荷締装置を提供する。【解決手段】  荷締ベルト３を挿通するための貫通孔７が複数の形成されて、ベルト荷締具１の一端部１Ａ側に荷締ベルト３を巻き付ける第１巻付部１１が形成されると共に、ベルト荷締具１の他端部１Ｂ側に荷締ベルト３を巻き付ける第２巻付部１２とその外側の係合部１３とが形成され、荷締ベルト３の一端側３ａが第１巻付部１１に巻き付けられてベルト荷締具１の一端部１Ａ側に装着され、荷締ベルト３の他端側３ｂが第２巻付部１２に巻き付けられて係合部１３外方に引き出され、前記係合部１３の外側面に、荷締ベルト３の他端側３ｂの引き出し端部を係止して外周に巻き付けて引き出すための円柱状の回転工具２０を係合保持する凹状の係合凹部２１が設けられている。【選択図】図１
2012162273.tif 000002
【特許請求の範囲】
【請求項１】
被締付物（２）に巻回される荷締ベルト（３）の一端側（３ａ）がベルト荷締具（１）の一端部（１Ａ）側に連結され、前記荷締ベルト（３）の他端側（３ｂ）がベルト荷締具（１）の他端部（１Ｂ）側に巻き付けて引き出され、締結ベルトの他端側（３ｂ）の引き出し端部を引っ張り出すことにより、被締付物（２）を荷締ベルト（３）で締め付けるようにしたベルト荷締装置であって、
ベルト荷締具（１）の一端部（１Ａ）側から他端部（１Ｂ）側に荷締ベルト（３）を挿通するための貫通孔（７）が複数形成されて、ベルト荷締具（１）の一端部（１Ａ）側に荷締ベルト（３）を巻き付ける第１巻付部（１１）が形成されると共に、ベルト荷締具（１）の他端部（１Ｂ）側に荷締ベルト（３）を巻き付ける第２巻付部（１２）とその外側の係合部（１３）とが形成され、
荷締ベルト（３）の一端側（３ａ）が第１巻付部（１１）に巻き付けられてベルト荷締具（１）の一端部（１Ａ）側に装着され、荷締ベルト（３）の他端側（３ｂ）が第２巻付部（１２）に巻き付けられて係合部（１３）外方に引き出され、
前記係合部（１３）の外側面に、荷締ベルト（３）の他端側（３ｂ）の引き出し端部を係止して外周に巻き付けて引き出すための円柱状の回転工具（２０）を係合保持する凹状の係合凹部（２１）が設けられていることを特徴とするベルト荷締装置。
【請求項２】
前記第１巻付部（１１）に巻き付けられた荷締ベルト（３）の一端側（３ａ）の巻付先端部（２５）と巻付基端部（２６）とが互いに重合されて固着されることにより、荷締ベルト（３）の一端側（３ａ）がベルト荷締具（１）の一端部（１Ａ）側に装着されていることを特徴とする請求項１に記載のベルト荷締装置。
【請求項３】
前記ベルト荷締具（１）は合成樹脂により矩形体状に形成されて、被締付物（２）に沿わして配置される裏面（１ｂ）と裏面（１ｂ）とは反対側に位置する表面（１ａ）とを有し、ベルト荷締具（１）の係合凹部（２１）が円弧凹状に形成されていて、係合凹部（２１）の裏面（１ｂ）側に、表面（１ａ）側よりも大きく外方突出していて回転工具（２０）を係合位置に保持する外方突出部（２３）が設けられていることを特徴とする請求項１又は２に記載のベルト荷締装置。
【請求項４】
前記回転工具（２０）には先端側に径方向に貫通する貫通溝（２９）が設けられ、荷締ベルト（３）の他端側（３ｂ）の引き出し端部が貫通溝（２９）に挿通して回転工具（２０）の先端側に係止され、回転工具（２０）の基端側がインパクトレンチ（３１）の出力軸に装着可能とされており、インパクトレンチ（３１）の駆動により回転工具（２０）が軸心回りに回転して荷締ベルト（３）の他端側（３ｂ）の引き出し端部が回転工具（２０）の先端側の外周に巻き付けられて引き出されるようにしたことを特徴とする請求項１〜３のいずれかに記載のベルト荷締装置。
【発明の詳細な説明】
【技術分野】
【０００１】
本発明は、荷締ベルトを被締付物に巻回して締め付けるためのベルト荷締装置に関するものである。
【背景技術】
【０００２】
ベルト荷締装置には、被締付物に巻回される荷締ベルトの一端側がベルト荷締具の一端部側に連結され、荷締ベルトの他端側がベルト荷締具の他端部側に巻き付けて引き出され、締結ベルトの他端側の引き出し端部を引っ張り出すことにより、被締付物を荷締ベルトで締め付けるようにしたものがある。
この種の従来のベルト荷締装置は、ベルト荷締具の一端部側から他端部側に荷締ベルトを挿通するための貫通孔が複数の形成されて、ベルト荷締具の一端部側に荷締ベルトを巻き付ける第１巻付部が形成されると共に、ベルト荷締具の他端部側に荷締ベルトを巻き付ける第２巻付部が形成され、荷締ベルトの一端側が第１巻付部に巻き付けられてベルト荷締具の一端部側に装着され、荷締ベルトの他端側が第２巻付部に巻き付けられて外方に引き出されたものである（例えば、特許文献１、２）。
【先行技術文献】
【特許文献】
【０００３】
【特許文献１】特開２００５−４２７７３号公報
【特許文献２】特開２００９−１２６５３０号公報
【発明の概要】
【発明が解決しようとする課題】
【０００４】
ところで、第２巻付部に巻き付けられて外方に引き出された荷締ベルトの他端側の引き出し端部を、円柱状の回転工具に係止し、この回転工具をインパクトレンチ等により軸心回りに回転駆動することにより、回転工具の外周に荷締ベルトの他端側の引き出し端部を巻き付けて引き出すようにすることが考えられる。
しかし、従来のベルト荷締装置では、ベルト荷締具の外側面等に、円柱状の回転工具を係合保持する部分がないため、回転工具をベルト荷締具の外側面等に安定に保持しておくことができず、回転工具の外周に荷締ベルトを巻き付ける際に回転工具がガタ付いたりして、荷締ベルトの他端側の引き出し端部を良好に引き出すことができなかった。
【０００５】
本発明は上記問題点に鑑み、円柱状の回転工具を使用して、荷締ベルトの他端側の引き出し端部を回転工具に巻き付けて良好に引き出すことができるベルト荷締装置を提供することを目的としている。
【課題を解決するための手段】
【０００６】
本発明における課題解決のための具体的手段は、次の通りである。
この技術的課題を解決する本発明の技術的手段は、被締付物２に巻回される荷締ベルト３の一端側３ａがベルト荷締具１の一端部１Ａ側に連結され、前記荷締ベルト３の他端側３ｂがベルト荷締具１の他端部１Ｂ側に巻き付けて引き出され、締結ベルトの他端側３ｂの引き出し端部を引っ張り出すことにより、被締付物２を荷締ベルト３で締め付けるようにしたベルト荷締装置であって、
ベルト荷締具１の一端部１Ａ側から他端部１Ｂ側に荷締ベルト３を挿通するための貫通孔７が複数形成されて、ベルト荷締具１の一端部１Ａ側に荷締ベルト３を巻き付ける第１巻付部１１が形成されると共に、ベルト荷締具１の他端部１Ｂ側に荷締ベルト３を巻き付ける第２巻付部１２とその外側の係合部１３とが形成され、
荷締ベルト３の一端側３ａが第１巻付部１１に巻き付けられてベルト荷締具１の一端部１Ａ側に装着され、荷締ベルト３の他端側３ｂが第２巻付部１２に巻き付けられて係合部１３外方に引き出され、
前記係合部１３の外側面に、荷締ベルト３の他端側３ｂの引き出し端部を係止して外周に巻き付けて引き出すための円柱状の回転工具２０を係合保持する凹状の係合凹部２１が設けられている点にある。
【０００７】
また、本発明の他の技術的手段は、前記第１巻付部１１に巻き付けられた荷締ベルト３の一端側３ａの巻付先端部２５と巻付基端部２６とが互いに重合されて固着されることにより、荷締ベルト３の一端側３ａがベルト荷締具１の一端部１Ａ側に装着されている点にある。
また、本発明の他の技術的手段は、前記ベルト荷締具１は合成樹脂により矩形体状に形成されて、被締付物２に沿わして配置される裏面１ｂと裏面１ｂとは反対側に位置する表面１ａとを有し、ベルト荷締具１の係合凹部２１が円弧凹状に形成されていて、係合凹部２１の裏面１ｂ側に、表面１ａ側よりも大きく外方突出していて回転工具２０を係合位置に保持する外方突出部２３が設けられている点にある。
【０００８】
また、本発明の他の技術的手段は、前記回転工具２０には先端側に径方向に貫通する貫通溝２９が設けられ、荷締ベルト３の他端側３ｂの引き出し端部が貫通溝２９に挿通して回転工具２０の先端側に係止され、回転工具２０の基端側がインパクトレンチ３１の出力軸に装着可能とされており、インパクトレンチ３１の駆動により回転工具２０が軸心回りに回転して荷締ベルト３の他端側３ｂの引き出し端部が回転工具２０の先端側の外周に巻き付けられて引き出されるようにした点にある。
【発明の効果】
【０００９】
本発明によれば、係合部の係合凹部に円柱状の回転工具を係合することにより、回転工具をベルト荷締具の外側面に安定に保持しておくことができ、回転工具がガタ付いたりするのを防止して、荷締ベルトの他端側の引き出し端部を回転工具に巻き付けて良好に引き出すことができる。
【図面の簡単な説明】
【００１０】
【図１】本発明の第１実施形態を示す荷締ベルト及びベルト荷締具の側面断面図である。
【図２】同荷締ベルト及びベルト荷締具の平面図である。
【図３】同ベルト荷締具の底面図である。
【図４】同荷締ベルト及びベルト荷締具の側面図である。
【図５】第２実施形態を示す荷締ベルト及びベルト荷締具の側面断面図である。
【発明を実施するための形態】
【００１１】
以下、本発明の実施の形態を図面に基づいて説明する。
図１〜図４は第１実施形態を示している。同図において、ベルト荷締装置は、ベルト荷締具１と被締付物２に巻回される荷締ベルト３とを備える。
荷締ベルト３はポリエステル、ポリプロピレン、ナイロン等により長い帯板状に形成され、荷締ベルト３の一端側３ａがベルト荷締具１の一端部１Ａ側に連結され、荷締ベルト３の他端側３ｂがベルト荷締具１の他端部１Ｂ側に巻き付けて引き出され、荷締ベルト３の他端側３ｂの引き出し端部を引っ張り出すことにより、被締付物２を荷締ベルト３で締め付けるように構成されている。
【００１２】
ベルト荷締具１はポリエチレン等の硬質合成樹脂又は金属により矩形体状に形成されて、被締付物２に沿わして配置される裏面１ｂと裏面１ｂとは板厚方向の反対側に位置する表面１ａとを有している。
ベルト荷締具１の一端部１Ａ側から他端部１Ｂ側に荷締ベルト３を挿通するための貫通孔７が複数の形成されている。貫通孔７には、ベルト荷締具１の一端部１Ａ側の第１貫通孔７ａと、ベルト荷締具１の他端部１Ｂ側の第２貫通孔７ｂと、ベルト荷締具１の長手方向中央部の第３貫通孔７ｃとがある。第３貫通孔７ｃの裏面１ｂ側はスカート状に広がって第１貫通孔７ａ及び第２貫通孔７ｂの裏面１ｂ側に連通され、これによりベルト荷締具１の裏面１ｂ側に四角形状の開口９が設けられている。
【００１３】
第１貫通孔７ａの形成によって、ベルト荷締具１の一端部１Ａに荷締ベルト３を巻き付ける第１巻付部１１が形成されている。第２貫通孔７ｂと第３貫通孔７ｃとの形成によって、ベルト荷締具１の他端部１Ｂ側に荷締ベルト３を巻き付ける第２巻付部１２とその外側の係合部１３とが形成されている。第１貫通孔７ａと第３貫通孔７ｃとの間に第１巻付部１１と第２巻付部１２とを離間させる離間部１４が形成されている。
【００１４】
第１貫通孔７ａの裏面１ｂ側はベルト荷締具１の他端部１Ｂ側に向けて傾斜されており、これにより第１巻付部１１の裏面１ｂ側の他端部１Ｂ側にベルト係止凸部１７が形成されている。第２貫通孔７ｂの裏面１ｂ側はベルト荷締具１の一端部１Ａ側に向けて傾斜されており、これにより係合部１３の裏面１ｂ側の一端部１Ａ側にベルト係止突部１８が形成されている。
【００１５】
前記係合部１３の外側面に、円柱状の回転工具２０を係合保持する係合凹部２１が設けられている。この係合凹部２１は回転工具２０の外周面の形状に対応する円弧凹状に形成されている。係合凹部２１の円弧径は、回転工具２０の外周面の径よりもやや大きい径であることが好ましく、図１の図例では、回転工具２０の外周面に荷締ベルト３を１重乃至３重に巻回したときの外径と略同等の径になっている。
【００１６】
また、係合凹部２１の円弧の中心は、ベルト荷締具１の厚み方向中央（表面１ａと裏面１ｂとの中間位置）よりも表面１ａ側にずれた位置に設定されている。そして、係合凹部２１の裏面１ｂ側に、表面１ａ側よりも大きく外方突出していて回転工具２０を係合位置に保持する外方突出部２３が設けられている。
荷締ベルト３の一端側３ａが、ベルト荷締具１の裏面１ｂ側から第１貫通孔７ａに挿通されてベルト荷締具１の一端部１Ａ側外方に取り出され、これにより荷締ベルト３の一端側３ａが第１巻付部１１に巻き付けられている。そして、第１巻付部１１に巻き付けられた荷締ベルト３の一端側３ａの巻付先端部２５と巻付基端部２６とが互いに重合されて融着（固着）されることにより、荷締ベルト３の一端側３ａがベルト荷締具１の一端部１Ａ側に装着されている。
【００１７】
荷締ベルト３の他端側３ｂが、ベルト荷締具１の裏面１ｂ側より第３貫通孔７ｃから第２貫通孔７ｂに挿通されてベルト荷締具１の他端部１Ｂ側に取り出され、これにより荷締ベルト３の他端側３ｂが第２巻付部１２に巻き付けられて係合部１３外方に引き出されている。
前記回転工具２０は荷締ベルト３の他端側３ｂの引き出し端部を係止して外周に巻き付けて引き出すためのもので、回転工具２０には先端側に径方向に貫通する貫通溝２９が設けられ、荷締ベルト３の他端側３ｂの引き出し端部が貫通溝２９に挿通されて回転工具２０の先端側に係止される。回転工具２０の基端側が図２に示すインパクトレンチ３１の出力軸に装着可能とされており、インパクトレンチ３１の駆動により回転工具２０が軸心回りに回転して荷締ベルト３の他端側３ｂの引き出し端部が回転工具２０の先端側の外周に巻き付けられて引き出されるようになっている。
【００１８】
上記第１実施形態によれば、被締付物２を荷締ベルト３で締め付ける場合、荷締ベルト３を被締付物２に巻回した後、荷締ベルト３の他端側３ｂを、ベルト荷締具１の裏面１ｂ側より第３貫通孔７ｃから第２貫通孔７ｂに挿通してベルト荷締具１の他端部１Ｂ側に取り出し、これによりベルト荷締具１の他端部１Ｂ側を第２巻付部１２に巻き付けて係合部１３外方に引き出す。
【００１９】
その後、荷締ベルト３の他端側３ｂの引き出し端部を貫通溝２９に挿通して回転工具２０の先端側に係止すると共に、回転工具２０の基端側をインパクトレンチ３１の出力軸に装着する。次に、回転工具２０の先端側を係合凹部２１に係合させた状態で、インパクトレンチ３１の駆動により回転工具２０を軸心回りに回転して荷締ベルト３の他端側３ｂの引き出し端部を回転工具２０の先端側の外周に巻き付けて引き出せばよい。
【００２０】
そして、荷締ベルト３の他端側３ｂの回転工具２０への巻き付けが多くなって、その巻き付け径が大きくなれば、回転工具２０から荷締ベルト３の他端側３ｂの巻き付けを一旦外して、インパクトレンチ３１の駆動による荷締ベルト３の他端側３ｂの回転工具２０への巻き付けをやり直せばよい。
而して、インパクトレンチ３１の動力を利用して、荷締ベルト３の他端側３ｂの引き出し端部を回転工具２０の外周に巻き付けて引き出すことができ、被締付物２を荷締ベルト３で強くかつスムーズに締め付けることができる。このとき、係合部１３の係合凹部２１に円柱状の回転工具２０を係合することにより、回転工具２０をベルト荷締具１の外側面に安定に保持しておくことができ、回転工具２０がガタ付いたりするのを防止して、荷締
ベルト３の他端側３ｂの引き出し端部を回転工具２０に巻き付けて良好に引き出すことが可能になる。
【００２１】
また、第１巻付部１１の裏面１ｂ側の他端部１Ｂ側にベルト係止凸部１７が形成され、しかも、第１巻付部１１に巻き付けられた荷締ベルト３の一端側３ａの巻付先端部２５と巻付基端部２６とが互いに重合されて融着（固着）されているので、荷締ベルト３の他端側３ｂを回転工具２０に巻き付けて引き出す際等に、第１巻付部１１に巻き付けられた荷締ベルト３の一端側３ａが、巻き戻ったり第１巻付部１１に対して不測に回転したりするのを効果的に防ぐことができる。
【００２２】
また、係合凹部２１の裏面１ｂ側に、表面１ａ側よりも大きく外方突出していて回転工具２０を係合位置に保持する外方突出部２３が設けられているので、荷締ベルト３の他端側３ｂを引き出す際に、荷締ベルト３の他端側３ｂを回転工具２０に巻き付ける反力を外方突出部２３で受けることができ、回転工具２０が係合凹部２１に係合する係合位置に安定に保持しておくことができる。
【００２３】
また、係合部１３の裏面１ｂ側の一端部１Ａ側にベルト係止突部１８が形成されているので、回転工具２０に巻き付けて引き出した荷締ベルト３の他端側３ｂが、第２巻付部１２に対して巻き戻るのを効果的に防ぐことができる。
図５は第２実施形態を示し、第３貫通孔７ｃがベルト荷締具１の長手方向中央部に広幅に形成され、第３貫通孔７ｃの裏面１ｂ側はスカート状に広がって第１貫通孔７ａ及び第２貫通孔７ｂの裏面１ｂ側に連通されており、ベルト荷締具１の第１貫通孔７ａと第３貫通孔７ｃとの間に荷締ベルト３を巻き付ける第１巻付部１１が形成されている。荷締ベルト３の一端側３ａが、ベルト荷締具１の裏面１ｂ側より第３貫通孔７ｃから第１貫通孔７ａに挿通されてベルト荷締具１の一端部１Ａ側外側に取り出されている。そして、第１巻付部１１に巻き付けられた荷締ベルト３の一端側３ａの巻付先端部２５と巻付基端部２６とが融着されることなく互いに重合されることにより、荷締ベルト３の一端側３ａがベルト荷締具１の一端部１Ａ側に装着されている。
【００２４】
ベルト荷締具１の第１巻付部１１よりも外側に外端部３３が設けられ、外端部３３の裏面１ｂ側の他端部１Ｂ側にベルト係止突部１８が形成されている。
その他の点は前記第１実施形態と同様の構成であり、第１実施形態の場合と同様にインパクトレンチ３１の動力を利用して、荷締ベルト３の他端側３ｂの引き出し端部を回転工具２０の外周に巻き付けて引き出すことができ、被締付物２を荷締ベルト３で強くかつスムーズに締め付けることができる。
【００２５】
なお、図５の第２実施形態の場合、ベルト荷締具１の第２巻付部１２の外側に代えて、ベルト荷締具１の第１巻付部１１よりも外側の外端部３３を係合部１３とし、この外端部３３の外側面に円柱状の回転工具２０を係合保持する係合凹部２１を設けるようにしてもよいし、ベルト荷締具１の第１巻付部１１の外側と第２巻付部１２の外側とにそれぞれ係合部１３を設け、これら一対の係合部１３の外側面にそれぞれ係合凹部２１を設けるようにしてもよい。
【００２６】
なお、前記実施形態では、インパクトレンチ３１で回転工具２０を軸心回りに回転させるようにしているが、インパクトレンチ３１に代えて電動式又は手動式等の他の回転駆動装置で回転工具２０を軸心回りに回転させるようにしてもよい。
また、被締付物２は円柱状又は円筒状のものに限らず、角柱状その他の形状のものであってもよいことは勿論である。また、係合凹部２１の形状は円弧凹状に限定されず、コの字状その他の凹状であってもよい。また、係合凹部２１の表面１ａ側の円弧凸部はなくてもよい。
【００２７】
また、係合凹部２１の裏面１ｂ側に突出した外方突出部２３の突出長さは図１に鎖線Ａで示す如くより長く形成してもよいし、図１及び図２に示す突出長さよりも短く形成してもよい。
【符号の説明】
【００２８】
１      ベルト荷締具
１Ａ    一端部
１Ｂ    他端部
１ａ    表面
１ｂ    裏面
２      非締付物
３      荷締ベルト
３ａ    一端側
３ｂ    他端側
７      貫通孔
１１    第１巻付部
１３    係合部
２０    回転工具
２１    係合凹部
２３    外方突出部
２５    巻付先端部
２６    巻付基端部
２９    貫通溝
３１    インパクトレンチ
【図１】
2012162273.tif 000003
【図２】
2012162273.tif 000004
【図３】
2012162273.tif 000005
【図４】
2012162273.tif 000006
【図５】
2012162273.tif 000007